【手続補正書】
【提出日】平成25年7月10日(2013.7.10)
【手続補正１】
【補正対象書類名】特許請求の範囲
【補正対象項目名】請求項２１
【補正方法】変更
【補正の内容】
【請求項２１】
個々の特性を推測するためのコンピュータプログラムであって、
履歴クエリ情報のセットを前処理するための機能であって、
前記履歴クエリ情報のセットのなかの複数のクエリに基づいて、複数のセマンティックパターンを決定するための機能と、
前記複数のセマンティックパターンと、複数のフィルタリング動作及びランキング動作との間に対応関係を確立するための機能と
を含む履歴クエリ情報のセットを前処理するための機能と、
ユーザクエリを処理するための機能であって、
前記ユーザクエリを受信するための機能と、
前記ユーザクエリに応答して複数の結果を検索するための機能と、
前記ユーザクエリに対応するセマンティックパターンを決定するための機能と、
前記対応関係に基づいて、前記セマンティックパターンに対応するフィルタリング動作及びランキング動作のセットを決定するための機能と、
フィルタリング及びランキングを経た結果のセットを生成するために、前記複数の結果に対して前記フィルタリング動作及びランキング動作のセットを実施するための機能とを含むユーザクエリを処理するための機能と、
をコンピュータによって実現させる、コンピュータプログラム。
【手続補正２】
【補正対象書類名】明細書
【補正対象項目名】００７８
【補正方法】変更
【補正の内容】
【００７８】
以上の実施形態は、理解を明瞭にする目的で幾らか詳細に説明されてきたが、本発明は、提供された詳細に限定されない。本発明の実現には、多くの代替的手法がある。開示された実施形態は、例示的であって、限定的ではない。
適用例１：情報検索方法であって、履歴クエリ情報のセットを前処理することと、ユーザクエリを処理すること、を備え、前記履歴クエリ情報のセットを前処理することは、前記履歴クエリ情報のセットにおける複数のクエリに基づいて、複数のセマンティックパターンを決定することと、前記複数のセマンティックパターンと、複数のフィルタリング動作及びランキング動作との間に対応関係を確立することと、を備え、
前記ユーザクエリを処理することは、前記ユーザクエリを受信することと、前記ユーザクエリに応答して複数の結果を検索することと、前記ユーザクエリに対応するセマンティックパターンを決定することと、前記対応関係に基づいて、前記セマンティックパターンに対応するフィルタリング動作及びランキング動作のセットを決定することと、フィルタリング及びランキングを経た結果のセットを生成するために、前記複数の結果に対して前記フィルタリング動作及びランキング動作のセットを実行することと、を備える、方法。
適用例２：適用例１に記載の方法であって、前記履歴クエリ情報のセットにおける複数のクエリに基づいて、複数のセマンティックパターンを決定することは、前記複数のクエリについて、対応するクエリの中の複数のクエリ用語を特徴付ける複数のセマンティックタグを各々が含む複数のセマンティックタグセットを特定することと、前記複数のセマンティックタグセットに基づいて、前記履歴記録のセットの中の前記複数のクエリに対応する可能性のあるセマンティックパターンを決定することと、前記履歴記録のセットの中の前記複数のクエリに対応する複数のセマンティックパターンを、可能性のあるセマンティックパターンから選択することと、前記複数のセマンティックパターンのそれぞれは、既定の閾値に少なくとも適合する率で出現する、ことと、を含む、方法。
適用例３：適用例２に記載の方法であって、前記履歴記録のセットの中の前記複数のクエリに対応する複数のセマンティックパターンを、可能性のあるセマンティックパターンから選択することは、各セマンティックパターンについて、前記セマンティックパターンに対応する対応クエリの総数を決定することと、前記対応クエリの総数が閾値を超える場合に前記各セマンティックパターンを選択することと、を含む、方法。
適用例４：適用例２に記載の方法であって、前記履歴記録のセットの中の前記複数のクエリに対応する複数のセマンティックパターンを、可能性のあるセマンティックパターンから選択することは、各セマンティックパターンについて、前記セマンティックパターンのエントロピーを計算することと、そのエントロピーが既定の閾値に適合しない場合に前記セマンティックパターンを破棄することと、を含む、方法。
適用例５：適用例１に記載の方法であって、前記複数のセマンティックパターンと、複数のフィルタリング動作及びランキング動作との間に対応関係を確立することは、前記複数のセマンティックパターンに対応する複数のユーザ行為セットを決定することと、前記複数のユーザ行為セットに対応する複数のユーザ意図属性セットを決定することと、前記複数のユーザ意図属性セットに基づいて、前記複数のフィルタリング動作及びランキング動作を決定することと、を含む、方法。
適用例６：適用例１に記載の方法であって、前記複数のユーザ意図属性は、曖昧性属性の程度を含む、方法。
適用例７：適用例１に記載の方法であって、前記複数のユーザ意図属性は、信頼性要件属性を含む、方法。
適用例８：適用例１に記載の方法であって、前記複数のユーザ意図属性は、時間効率要件属性を含む、方法。
適用例９：適用例１に記載の方法であって、前記複数のユーザ意図属性は、場所要件属性を含む、方法。
適用例１０：適用例１に記載の方法であって、前記複数のユーザ意図属性は、量属性を含む、方法。
適用例１１：情報検索システムであって、１つ又は２つ以上のプロセッサと、前記プロセッサにつながれ、前記プロセッサに命令を提供するように構成されている１つ又は２つ以上のメモリと、を備え、前記１つ又は２つ以上のプロセッサは、履歴クエリ情報のセットを前処理し、ユーザクエリを処理するように、構成されており、前記履歴クエリ情報のセットを前処理することは、前記履歴クエリ情報のセットにおける複数のクエリに基づいて、複数のセマンティックパターンを決定することと、前記複数のセマンティックパターンと、複数のフィルタリング動作及びランキング動作との間に対応関係を確立することと、を備え、
前記ユーザクエリを処理することは、前記ユーザクエリを受信することと、前記ユーザクエリに応答して複数の結果を検索することと、前記ユーザクエリに対応するセマンティックパターンを決定することと、前記対応関係に基づいて、前記セマンティックパターンに対応するフィルタリング動作及びランキング動作のセットを決定することと、フィルタリング及びランキングを経た結果のセットを生成するために、前記複数の結果に対して前記フィルタリング動作及びランキング動作のセットを実行することと、を備える、システム。
適用例１２：適用例１１に記載のシステムであって、前記履歴クエリ情報のセットにおける複数のクエリに基づいて、複数のセマンティックパターンを決定することは、前記複数のクエリについて、対応するクエリの中の複数のクエリ用語を特徴付ける複数のセマンティックタグを、各々が含む複数のセマンティックタグセットを特定することと、前記複数のセマンティックタグセットに基づいて、前記履歴記録のセットのなかの前記複数のクエリに対応する可能性のあるセマンティックパターンを決定することと、前記履歴記録のセットの中の前記複数のクエリに対応する複数のセマンティックパターンを、可能性のあるセマンティックパターンから選択することと、前記複数のセマンティックパターンのそれぞれは、既定の閾値に少なくとも適合する率で出現することと、を含む、システム。
適用例１３：適用例１２に記載のシステムであって、前記履歴記録のセットの中の前記複数のクエリに対応する複数のセマンティックパターンを、可能性のあるセマンティックパターンから選択することは、各セマンティックパターンについて、前記セマンティックパターンに対応する対応クエリの総数を決定することと、前記対応クエリの総数が閾値を超える場合に、前記各セマンティックパターンを選択することと、を含む、システム。
適用例１４：適用例１２に記載のシステムであって、前記履歴記録のセットの中の前記複数のクエリに対応する複数のセマンティックパターンを、可能性のあるセマンティックパターンから選択することは、各セマンティックパターンについて、前記セマンティックパターンのエントロピーを計算することと、そのエントロピーが既定の閾値に適合しない場合に前記セマンティックパターンを破棄することと、を含む、システム。
適用例１５：適用例１１に記載のシステムであって、前記複数のセマンティックパターンと、複数のフィルタリング動作及びランキング動作との間に対応関係を確立することは、前記複数のセマンティックパターンに対応する複数のユーザ行為セットを決定することと、前記複数のユーザ行為セットに対応する複数のユーザ意図属性セットを決定することと、前記複数のユーザ意図属性セットに基づいて、前記複数のフィルタリング動作及びランキング動作を決定することと、を含む、システム。
適用例１６：適用例１１に記載のシステムであって、前記複数のユーザ意図属性は、曖昧性属性の程度を含む、システム。
適用例１７：適用例１１に記載のシステムであって、前記複数のユーザ意図属性は、信頼性要件属性を含む、システム。
適用例１８：適用例１１に記載のシステムであって、前記複数のユーザ意図属性は、時間効率要件属性を含む、システム。
適用例１９：適用例１１に記載のシステムであって、前記複数のユーザ意図属性は、場所要件属性を含む、システム。
適用例２０：適用例１１に記載のシステムであって、前記複数のユーザ意図属性は、量属性を含む、システム。
適用例２１：個々の特性を推測するためのコンピュータプログラム製品であって、コンピュータ可読ストレージ媒体に実装され、履歴クエリ情報のセットを前処理することのためのコンピュータ命令と、ユーザクエリを処理することのためのコンピュータ命令と、を備え、
前記履歴クエリ情報のセットを前処理することは、前記履歴クエリ情報のセットのなかの複数のクエリに基づいて、複数のセマンティックパターンを決定することと、前記複数のセマンティックパターンと、複数のフィルタリング動作及びランキング動作との間に対応関係を確立することと、を備え、
前記ユーザクエリを処理することは、前記ユーザクエリを受信することと、前記ユーザクエリに応答して複数の結果を検索することと、前記ユーザクエリに対応するセマンティックパターンを決定することと、前記対応関係に基づいて、前記セマンティックパターンに対応するフィルタリング動作及びランキング動作のセットを決定することと、フィルタリング及びランキングを経た結果のセットを生成するために、前記複数の結果に対して前記フィルタリング動作及びランキング動作のセットを実施することと、を備える、コンピュータプログラム製品。